(57)【特許請求の範囲】
【請求項１】
物干し竿を保持する竿支持部を備えたハンガーと、該ハンガーの基端側を保持するハンガーの支持具とからなる物干し竿掛け具であって、
前記ハンガーの支持具にハンガーの回動軸となるピンを設け、
前記ハンガーの基端側に回動基部を形成し、
該ハンガーの回動基部の中心部に、前記ピンが位置したときにハンガーの回動支点となる略円状の回動用孔と、ハンガーの回動を規制する略円状の固定用孔を斜め下方に連通して設け、
ハンガーの回動基部の外周に側面三角形状に斜め下方に突出された凸部を設け、
前記ハンガーの支持具に、ハンガーの回動基部の外周に設けた前記凸部が嵌合する凹部を、前記ピンを通る水平線よりも下方の位置と前記ピンを通る水平線よりも上方の位置とに二箇所設けることにより、
前記ピンを通る水平線よりも下方の位置の凹部に前記凸部を嵌合させてハンガーを水平状態の位置に保持し、
前記ピンを通る水平線よりも上方の位置の凹部に前記凸部を嵌合させて、前記回動用孔の中心と前記固定用孔の中心とを結ぶ線が水平となる位置でハンガーを斜め下方状態の位置に保持可能に構成した、
ことを特徴とする物干し竿掛け具。
【発明の詳細な説明】
【０００１】
【発明の属する技術分野】
本発明は、マンションや住宅のベランダ等に洗濯物を干すための物干し竿を保持させる物干し用掛け具の技術に関する。
【０００２】
【従来の技術】
従来から、物干し竿が支持されるハンガーと、前記ハンガーの基端を壁面等に保持するための支持具とで構成され、ハンガーを水平方向や斜め上方に向けて保持できる物干し竿掛け具は公知である。このような物干し竿掛け具は、ベランダの外側に面する低い壁面側に取り付けられることを前提として、斜め上方にむけて保持可能な構成となっているものが多い。
【０００３】
【発明が解決しようとする課題】
しかし図１３に示したように、物干し竿掛け具２０をベランダ１４の窓１３側の壁面１５に取り付ける場合には、物干し竿掛け具２０は窓の高い位置に取り付けることが望ましい。物干し竿掛け具２０を低い位置に取り付ければ、人がベランダ１４に出る際に物干し竿１２が邪魔となるからである。このように高い位置に物干し竿掛け具を取り付けた場合には、ハンガーは斜め上方に向けて保持する必要はなく、むしろ下方に傾斜させて保持できた方がよい。また、ハンガーを多段階に固定させるための構造をより簡単なものとすれば、物干し竿掛け具を低コストで作成できる。そこで、ハンガーを下方に傾斜した状態でも保持でき、より簡単な構造で構成される物干し竿掛け具２０を提供することを本発明の目的とした。
【０００４】
【課題を解決するための手段】
本発明の解決しようとする課題は以上の如くであり、次にこの課題を解決するための手段を説明する。
【０００５】
即ち、請求項１においては、物干し竿を保持する竿支持部を備えたハンガーと、該ハンガーの基端側を保持するハンガーの支持具とからなる物干し竿掛け具であって、前記ハンガーの支持具にハンガーの回動軸となるピンを設け、前記ハンガーの基端側に回動基部を形成し、該ハンガーの回動基部の中心部に、前記ピンが位置したときにハンガーの回動支点となる略円状の回動用孔と、ハンガーの回動を規制する略円状の固定用孔を斜め下方に連通して設け、ハンガーの回動基部の外周に側面三角形状に斜め下方に突出された凸部を設け、前記ハンガーの支持具に、ハンガーの回動基部の外周に設けた前記凸部が嵌合する凹部を、前記ピンを通る水平線よりも下方の位置と前記ピンを通る水平線よりも上方の位置とに二箇所設けることにより、前記ピンを通る水平線よりも下方の位置の凹部に前記凸部を嵌合させてハンガーを水平状態の位置に保持し、前記ピンを通る水平線よりも上方の位置の凹部に前記凸部を嵌合させて、前記回動用孔の中心と前記固定用孔の中心とを結ぶ線が水平となる位置でハンガーを斜め下方状態の位置に保持可能に構成したものである。
【０００６】
【発明の実施の形態】
次に、発明の実施の形態を説明する。
【０００７】
図１は物干し竿掛け具の要部を示す部分斜視図、図２は支持具の断面図、図３はハンガーを斜め上方に向けた状態の側面図、図４はハンガーを水平方向に保持した状態の側面図、図５はハンガーを斜め下方に保持した状態の側面図、図６はハンガーを垂下させた状態の側面図、図７はハンガーが水平方向に保持されたときの、ハンガーと支持具の係合状態を示す縦断面図、図８はハンガーと支持具の解脱操作を順次示す縦断面図、図９はハンガーと支持具の解脱操作を順次示す縦断面図、図１０はハンガーと支持具の解脱操作を順次示す縦断面図、図１１はハンガーが下方に傾斜した状態で保持されたときの、ハンガーと支持具の係合状態を示す縦断面図、図１２はハンガーが垂下された状態のときの、ハンガーと支持具の係合状態を示す縦断面図、図１３は物干し竿掛け具の全体斜視図である。
【０００８】
物干し竿掛け具２０は、図１、図１３に示すように、ハンガー１と支持具２からなり、該ハンガー１は、物干し竿等を挿入して保持する竿支持部６・６・６と支持具２に取り付けるための略円状の回動基部１７を有し、該支持具２はピン７にて回動自在に枢支する回動基部１７と、壁面等に取り付けるための筐部１６を有している。
【０００９】
このように回動可能に接続されたハンガー１は、使用するときには、図４に示したような水平状態や、図５に示したような斜め下方に傾けた状態に保持することができ、使用しないときには、図６に示したように垂下させた状態で収納できる。すなわちハンガーは水平、斜め下方の二段階で固定した状態と、下方に垂下させた状態の三段階で保持されるのである。
【００１０】
ハンガー１について図１を用いて説明する。ハンガー１はプレートまたは帯体を略長円形として、一端及び他端以外の部分に所定間隔をあけて複数（本実施例では三箇所）の竿支持部６・６・６が長手方向に配置されている。該竿支持部６は楕円状または円形状として、他端に略円状のプレートで回動基部１７を形成して、該回動基部１７の外周上に側面視三角形状の凸部５が後下方に突出するように設けられると共に、回動基部１７の中心部にハンガー１の回動支点となる回動用孔部３と、ハンガーの回動が規制される固定用孔部４とが連通して穿設されている。
【００１１】
図７に示したように、回動用孔部３と固定用孔部４は略円状で、固定用孔部４は、回動基部１７の外周円と同心円としてその中心をＯ１とし、回転軸となるピン７に対して回転可能にその外径と略一致させる。固定用孔部４も、回転軸となるピン７に対して回転可能にその外径と略一致させ、その中心をＯ２とし、該中心Ｏ１とＯ２を結ぶ線の延長線近傍に、前記凸部５が位置するように配設する。詳しくは、中心Ｏ１と中心Ｏ２を結ぶ線Ｙと平行に凸部５の上側の面５ｂの延長線Ｚが形成されている。本実施例では、線Ｙ上には凸部５の下側の基部５ａが位置するようにしている。そして、線Ｙと線Ｚの間に凸部５が位置するようにしている。
【００１２】
支持部２について説明する。図１に示したように、支持部２は略直方体形状の筐部１６より二枚の挟持プレート１０・１０が垂直面で側方に突設される。挟持プレート１０・１０の間の奥の壁部１６ａには、図２に示したように、複数（本実施例では二箇所）の凹部８・９が所定間隔をあけて同一円周上に設けられ、該凹部８・９は前記突部５と側面視で同形状として同一半径上に配置して嵌合できるようにしている。図２に示したように、二箇所の凹部のうち下方側に設けられた凹部９は、水平線Ｘより角度θ１下方に傾斜した位置に設けられ、図７に示したように、ハンガーを水平に保持した場合に、ハンガーの凸部５が嵌合する位置としている。
【００１３】
そして、図２に示すように、上方側に設けられた上方凹部８は、水平線Ｘより角度θ１上方に傾斜した位置に設けられ、図１１に示したように、ハンガー１を斜め下方に傾けた場合に、ハンガー１の凸部５が嵌合する位置に設けられている。このとき、中心Ｏ１と中心Ｏ２を結ぶ線Ｙと凹部８の上側内面の延長線Ｗが平行となるように構成している。
【００１４】
挟持プレート１０・１０は、図１、図２に示すように、ハンガー側が略半円状となっており、前記回動基部１７の半径と略一致させ、円の中心部にピン孔１１が穿設されて、前記ピン７を挿入できるようにしている。こうして、該挟持プレート１０・１０間にハンガー１の一端側の回動基部１７を挿入して、ピン孔１１と回動用孔部３または固定用孔部４にピン７を挿入して支持する構成としている。
【００１５】
次に、ハンガー１と支持具２の係合部分について、図３乃至図１２を用いて順次説明する。このような構成において、ハンガー１を収納した状態は図６、図１２に示すように垂直下方へ回動した状態であり、ピン７は回動用孔部３内に位置している。この状態から、ハンガー１を張り出して使用状態とするために、ハンガー１を回動用孔部３を中心に上方へ回動する。このとき、凸部５は凹部８または凹部９より出た位置となっているために壁部１６ａに当接することなく回動できる。そして、ハンガー１が斜め下方位置では、図１０に示すように、線Ｙ方向、つまり水平方向で壁側に押すと、ピン７は固定用孔部４に入り、凸部５が凹部８に嵌合して、図１１の如く固定することができる。このとき、ハンガー１は凸部５と凹部８が嵌合しているので、回動することはできず、Ｏ１とＯ２は水平方向に位置しているため、ピン７がハンガー１の重量によりズレることもない。このように斜め下方に固定された状態のハンガー１を、図１０に示したように水平方向に移動させると、ピン７は固定用孔部４から回動用穴部３へと移動し、凸部５と凹部８の嵌合が解除され、ハンガー１が回動できる状態となる。
【００１６】
また、ピン７が回動用孔部３内に位置している状態で、ハンガー１を水平位置まで回動して、斜め下壁方向へハンガー１を押すと、ピン７は固定用孔部４に入り、凸部５が凹部９に嵌合して、図７の如く固定することができる。このとき、ハンガー１は凸部５と凹部９が嵌合しているので、回動することはできず、Ｏ２はＯ１に対して斜め下方となり、ハンガー１の重量によりピン７が回動用孔部３に入ることはない。このように水平方向に固定されたハンガー１を、Ｏ１とＯ２を結ぶ線Ｙ上で斜め上方に移動させると、ピン７は固定用孔部４から回動用穴部３へと移動し、凸部５と凹部８の嵌合が解除され、ハンガー１が回動できる状態となる。なお、該凸部５の下基部５ａはＯ１とＯ２を結ぶ線Ｙ上に位置している。そして、凸部５は、前記線Ｙと、上端部５ｂを通りＹ線と平行なＺ線との間に収まっているので、ハンガーをＯ１とＯ２を結ぶ線Ｙ上に移動させることで、スムーズに凸部５は凹部から抜けることができるのである。こうして、固定状態からハンガー１の位置を変更する場合には前記逆の方向にハンガー１を引っ張り、ピン７を回動用孔部３に挿入して回動するのである。
【００１７】
【発明の効果】
本発明は、以上のように構成したので、以下に示すような効果を奏する。
【００１８】
即ち、物干し竿を保持する竿支持部を備えたハンガーと、該ハンガーの基端側を保持するハンガーの支持具とからなる物干し竿掛け具であって、前記ハンガーの支持具にハンガーの回動軸となるピンを設け、前記ハンガーの基端側に回動基部を形成し、該ハンガーの回動基部の中心部に、前記ピンが位置したときにハンガーの回動支点となる略円状の回動用孔と、ハンガーの回動を規制する略円状の固定用孔を斜め下方に連通して設け、ハンガーの回動基部の外周に側面三角形状に斜め下方に突出された凸部を設け、前記ハンガーの支持具に、ハンガーの回動基部の外周に設けた前記凸部が嵌合する凹部を、前記ピンを通る水平線よりも下方の位置と前記ピンを通る水平線よりも上方の位置とに二箇所設けることにより、前記ピンを通る水平線よりも下方の位置の凹部に前記凸部を嵌合させてハンガーを水平状態の位置に保持し、前記ピンを通る水平線よりも上方の位置の凹部に前記凸部を嵌合させて、前記回動用孔の中心と前記固定用孔の中心とを結ぶ線が水平となる位置でハンガーを斜め下方状態の位置に保持可能に構成したので、簡単な構成で、ハンガーを水平位置と斜め下方位置の二段階で保持させることのできる物干し竿掛け具を構成することができ、また、固定・解除の操作が簡単で、その動作も小さくて済む。
【図面の簡単な説明】
【図１】  物干し竿掛け具の要部を示す部分斜視図。
【図２】  支持具の断面図。
【図３】  ハンガーを斜め上方に向けた状態の側面図。
【図４】  ハンガーを水平方向に保持した状態の側面図。
【図５】  ハンガーを斜め下方に保持した状態の側面図。
【図６】  ハンガーを垂下させた状態の側面図。
【図７】  ハンガーが水平方向に保持されたときの、ハンガーと支持具の係合状態を示す縦断面図。
【図８】  ハンガーと支持具の解脱操作を順次示す縦断面図。
【図９】  ハンガーと支持具の解脱操作を順次示す縦断面図。
【図１０】  ハンガーと支持具の解脱操作を順次示す縦断面図。
【図１１】  ハンガーが下方に傾斜した状態で保持されたときの、ハンガーと支持具の係合状態を示す縦断面図。
【図１２】  ハンガーが垂下された状態のときの、ハンガーと支持具の係合状態を示す縦断面図。
【図１３】  物干し竿掛け具の全体斜視図。
【符号の説明】
１  ハンガー
２  支持具
３  回動用孔部
４  固定用孔部
５  凸部
６  竿支持部
７  ピン
８  上方凹部
９  下方凹部
１０  挟持プレート
１１  ピン孔
１６  筐部
１７  回動基部
２０  物干し竿掛け具
【図１】
0004054203.tif 000002
【図２】
0004054203.tif 000003
【図３】
0004054203.tif 000004
【図４】
0004054203.tif 000005
【図５】
0004054203.tif 000006
【図６】
0004054203.tif 000007
【図７】
0004054203.tif 000008
【図８】
0004054203.tif 000009
【図９】
0004054203.tif 000010
【図１０】
0004054203.tif 000011
【図１１】
0004054203.tif 000012
【図１２】
0004054203.tif 000013
【図１３】
0004054203.tif 000014